(57)【特許請求の範囲】
【請求項１】
踵対応部から爪先対応部にまで一体に成形された樹脂プレートから成り、踵対応部がクッション機能構造を有し、踵対応部の前端部から爪先対応部までがシャンク機能を有し、アウトソ−ル（８）とミッドソール（９）の間に挿入されるクッション機能付きシャンク（１）であって；
イ。前記シャンク（１）を、踵対応部の前端部から爪先対応部へ向かって、距骨、舟状骨、内側楔状骨を越えて第１中足骨に伸長する内側アーチ対応部分（６）と、踵骨結節から立方骨を通り第５中足骨に伸長する外側アーチ対応部分（７）とに分岐させ、第１中足骨から第５中足骨にかけて伸長する前アーチ対応部を盛り高構造部分（５）にしたこと、
ロ。前記シャンク（１）の踵対応部に、踵対応部の厚さ方向に、少なくとも１個のシャンク貫通孔（２３）を設けたこと、
ハ。前記シャンク（１）の踵対応部において前記シャンク貫通孔（２３）の底部に、踵対応部の幅方向に渡って、アウトソール方向に拡開した断面が台形の少なくとも１個の溝（４）を穿設したこと、及び
ニ。前記シャンク貫通孔（２３）と前記溝（４）を連通させたことを特徴とするクッション機能付きシャンク。
【請求項２】
クッション機能付きシャンク（１）の硬度が８０〜９０である請求項１に記載したクッション機能付きシャンク。
【請求項３】
主要部材として、アウトソ−ル（８）、ミッドソール（９）、中底（１５）、インソール（１８）、およびアッパー（１７）を含む靴であって、請求項１または２に記載したクッション機能付きシャンク（１）をアウトソール（８）とミッドソール（９）の間に挿入した靴。
【請求項４】
クッション機能付きシャンク（１）を、前記シャンク（１）の踵対応部とミッドソール（９）の踵対応部の裏面との間に、空気、湿気を通し、水は通さない透湿シート（１０）を介して、アウトソール（８）とミッドソール（９）の間に挿入したことを特徴とする請求項３に記載した靴。
【請求項５】
ミッドソール（９）の上面の爪先対応部に、馬蹄形通気溝（１２）を形成し、爪先対応部の幅方向に幅方向通気溝（１３）を、前記馬蹄形通気溝（１２）と連通するように形成し、さらに、ミッドソール（９）の爪先対応部から踵対応部に向けて長手方向通気溝（１４）を形成し、長手方向通気溝（１４）に、踵対応部分で厚さ方向にミッドソール貫通孔（１１）を穿設し、前記馬蹄形通気溝（１２）、前記幅方向通気溝（１３）、前記長手方向通気溝（１４）及び前記ミッドソール貫通孔（１１）と連通させ、前記ミッドソール貫通孔（１１）を、前記シャンク貫通孔（２３）、及び前記断面が台形の溝（４）とそれぞれ連通させた請求項３又は４に記載した靴。
【請求項６】
中底（１５）の厚さ方向に１個以上の中底貫通孔（１６）を穿設し、インソール（１８）の厚さ方向に１個以上のインソール貫通孔（１９）を穿設した請求項３〜５のいずれか１項に記載した靴。
【発明の詳細な説明】
【技術分野】
【０００１】  本発明は、クッション機能付きシャンクおよび当該シャンクを挿入した靴に関する。より詳細に述べれば、本発明は、距骨、舟状骨、内側楔状骨を越えて第１中足骨に伸長する内側アーチと、踵骨結節から立方骨を通り第５中足骨に伸長する外側アーチと、第１中足骨から第５中足骨にかけて伸長する前アーチから成るアーチを支え、且つ、踵部対応部にクッション機能をもたせたシャンクおよび当該シャンクを挿入した靴に関する。
【背景技術】
【０００２】  本発明で使用する用語「解剖学的構造」とは、距骨、舟状骨、内側楔状骨を越えて第１中足骨に伸長する内側アーチ（土踏まずアーチ）と、踵骨結節から立方骨を通り第５中足骨に伸長する外側アーチと、第１中足骨から第５中足骨にかけて伸長する前アーチ（横断アーチ）に対応した構造と定義する。【０００３】  シャンクは、靴の踏まず部（足の土踏まずに対応する）のミッドソールとアウトソールの間に挿入し、足の土踏まずアーチの荷重を支え歩行を助ける目的で使用する補強芯で、従来から、各種の材料で、多様な機能と構造を持ったものが提案されてきた。古くは、樺（カバ）の木の皮や、竹を用いたが、現在では、鋼鉄または硬質プラスチックが主流である。【０００４】  従来のシャンクは、アーチの解剖学的立体構造に着目したものではなく、単一の平板で、主として土踏まずア−チを補強するためのものである。そのために、その余のアーチ、すなわち、外側アーチおよび前アーチを補強する機能が無く、アーチの本来の機能である「バネ効果」を補強する効果がない。また、従来のシャンクは、硬度が同一の材料で製造された単一構造の平板であるため、歩行時に踵が接地するときに踵に負荷される体重より大きな荷重を踵部で吸収することができないという欠点がある。【０００５】  たとえば、特許文献１は、塩化ビニル樹脂、酢酸ビニル樹脂、ＡＢＳ樹脂、ウレタン系熱可塑性エラストマー（ＴＰＵ）等の熱可塑性樹脂で製造した硬質材料から成るシャンクを記載しているが、その詳細な構造は不分明である。【０００６】  特許文献２は、塩化ビニル樹脂、ＡＢＳ樹脂等の樹脂プレートから成るシャンクを記載している。しかしながら、このシャンクは、靴底不踏部、すなわち、内側アーチだけを補強する構造である。【０００７】  特許文献３は、硬質樹脂製のソールプレートに中足部位に伸びる２本の凸状のリブを形成し、このリブによるシャンク効果を奏功することを記載している。しかしながら、このような、２本の凸状のリブは、その構造上、内側アーチ、外側アーチおよび前アーチを補強する機能は無い。
【特許文献１】特開２００５−４７３号公報
【特許文献２】特開２００５−２８７５６５号公報
【特許文献３】特開２００５−９５４８３号公報
【発明の開示】
【発明が解決しようとする課題】
【０００８】  発明が解決しようとする課題は、靴のミッドソールとアウトソールの間に挿入されるシャンクの構造を、アーチの解剖学的構造に対応させ、距骨、舟状骨、内側楔状骨を越えて第１中足骨に伸長する内側アーチと、踵骨結節から立方骨を通り第５中足骨に伸長する外側アーチと、第１中足骨から第５中足骨にかけて伸長する前アーチから成るアーチを支え、且つ、踵部対応部にクッション機能を持たせ、歩行時に踵が接地するときに踵に負荷される体重より大きな荷重を踵部で吸収することができるようにすることである。【０００９】  発明が解決しようとする別の課題は、靴のミッドソールとアウトソールの間に挿入されるシャンクの構造を、アーチの解剖学的構造に対応させ、距骨、舟状骨、内側楔状骨を越えて第１中足骨に伸長する内側アーチと、踵骨結節から立方骨を通り第５中足骨に伸長する外側アーチと、第１中足骨から第５中足骨にかけて伸長する前アーチから成るアーチを支え、且つ、踵部対応部にクッション機能を持たせ、歩行時に踵が接地するときに踵に負荷される体重より大きな荷重を踵部で吸収することができるようにすると共に、靴内部の空気と湿気を流動させ、靴外部へ排気する靴内エアーコンディショニング効果を奏功することである。
【課題を解決するための手段】
【００１０】  人が直立したとき、身体は足の第１趾（親指）の付け根と第５趾（小指）の付け根、および踵との３点を支点として、そのれぞれの２点のアーチによって支持されている。それぞれのアーチが、バネの機能を持ち、足が地面と接するときに受ける衝撃を吸収したり、分散して、直立、歩行、走行の際の身体の機能を助け、かつ、補強している。【００１１】  図３は、アーチの構造を模式的に説明する概念図である。図３−Ａは、距骨、舟状骨、内側楔状骨を越えて第１中足骨に伸長する内側アーチ２０と、踵骨結節から立方骨を通り第５中足骨に伸長する外側アーチ２１と、第１中足骨から第５中足骨にかけて伸長する前アーチ２２を、足の骨格に模式的に書き込んだ側面図である。図３−Ｂは、アーチを模式的に表した概念図である。図３−Ｃは、内側アーチ２０、外側アーチ２１、および前アーチ２２を、足底に模式的に書き込んだ透視図である。【００１２】  内側アーチ２０は、第１趾（親指）から舟状骨を支える踵骨に至るアーチ、いわゆる「土踏まずアーチ」で、アーチの中で最も重要な部分である。理想的な靴は、靴底の土踏まずアーチ部分が、足裏の土踏まずとピッタリと一致していて、直立、歩行、走行運動に伴って、足裏の土踏まずアーチの伸縮運動に従って、靴底の土踏まずアーチ部分も対応できなければならない。もし、靴底の土踏まずアーチ部分の材料が弱化、或いは劣化して、直立、歩行、走行運動に伴う体重移動による荷重を支持できなくなった場合は、アウトソールとミッドソールの間に挿入されるシャンクが、下方から支えて、補強出来るような構造であることが好ましい。【００１３】  外側アーチ２１は、踵骨結節から立方骨を通り第５中足骨に伸長するアーチである。人が歩行、走行するとき、先ず、踵が着地して、外側アーチに沿って、第５趾（小指）の方に重心移動し、次に第５趾（小指）から横断アーチの沿って第１趾（親指）側に移動し、最終的には第１趾（親指）で地面を蹴上げて前進運動に移行する。従って、この外側アーチが伸びきっていると、バネの力が弱化し、重心を第１趾（親指）側に移動することができず、身体のバランスをとるのに無理な姿勢や、歩行をするようになる。もし、靴底の外側アーチ部分の材料が弱化、或いは劣化して、直立、歩行、走行運動に伴う体重移動による荷重を支持できなくなった場合は、アウトソールとミッドソールの間に挿入されるシャンクが、下方から支えて、補強出来るような構造であることが好ましい。【００１４】  前アーチ２２は、第１趾（親指）の付け根から第５趾（小指）の付け根にかけて伸長するアーチである。前アーチが正常状態では、第２趾、第３趾、および第４趾は、浮いてアーチを形成している。しかしながら、長時間靴を履いていると、中足骨が開いて、足形が、いわゆる「開張足」に変形し、前アーチが押し潰され、痛くなったり、歩けなくなることがある。従って、シャンクに前アーチの形状を構造的にもたせ、開張足を、本来のアーチに戻すことが好ましい。【００１５】  上述したシャンクの理想的な機能を考慮すると、シャンクは、従来のような単純な一枚板ではなく、踵部対応部から、内側アーチ２０対応部と外側アーチ２１対応部に分岐させ、前アーチ２２対応部に沿って盛高構造にすることが好ましいことが理解される。【００１６】  また、シャンクの踵対応部には、踵対応部の厚さ方向に、少なくとも１個のシャンク貫通孔を穿設することが好ましい。また、シャンクの踵対応部にクッション機能を持たせるために、シャンクの踵対応部少なくとも１個の弱化部を設けることが好ましい。【００１７】この弱化部の形状は、クッション効果を高めるために、踵対応部の厚さ方向に穿設した、アウトソール方向に拡開した断面が台形の少なくとも１個の溝とすることが好ましい。そして、前記少なくとも１個の溝と、前記シャンクの踵対応部の厚さ方向に穿設した少なくとも１個のシャンク貫通孔とを連通させることが好ましい。このような構成にすることにより、歩行、走行等運動するたびに踵対応部のクッション作用により、靴内の空気が貫通孔を通して上に流動するので、エアコンディショニング効果が奏功される。【００１８】  上述した構造のシャンクは、アウトソールとミッドソールの間に挿入して使用するが、その際、シャンクの踵対応部と、ミッドソールの踵対応部の裏面との間に、空気、湿気を通し、水は通さない透湿シートを、前記弱化部となる溝を被うように挿入することが好ましい。このことにより、雨中で歩行していたり、或いは歩行中水たまりに入ったとしても、水がミッドソールへ浸水するのを防止し、一方、歩行中、靴内に発生する汗が主体の湿気および暖かくなった空気は、ミッドソールへ向けて透過させる。【００１９】  次に、ミッドソールの構造の一例を説明する。ミッドソールの上面には、ミッドソールの爪先対応部から、踵対応部に向けて通気溝を形成することが好ましい。【００２０】  この通気溝の形状・構造は特段に限定されない。例えば、爪先対応部に、ミッドソールの幅方向に向けて少なくとも１本の通気溝を形成し、これを前記ミッドソールの爪先対応部から、踵対応部に向けて穿設した通気溝と連通させてもよい。この構造により、ミッドソールの長さ方向における通気効率が拡大される。【００２１】  さらに、ミッドソールの爪先対応部から、踵対応部に向けて形成した通気溝の踵対応部において、ミッドソールの踵対応部の厚さ方向に向けてミッドソール貫通孔を穿設し、このミッドソール貫通孔を、前記シャンクの踵対応部の厚さ方向に穿設した溝及び溝と連通している前記シャンク貫通孔と連通させることが好ましい。この構造により、歩行時に、シャンクの溝及び溝と連通している前記シャンク貫通孔から透過してくる空気、汗が、前記透湿シートを介して、ミッドソールの爪先対応部の厚さ方向に向けて穿設したミッドソール貫通孔からさらに上方へ透過する。【００２２】  さらに、中底の厚さ方向に１個以上の中底貫通孔を穿設し、インソールの厚さ方向に１個以上のインソール貫通孔を穿設することが好ましい。このような構造にすることにより、アウトソールからアッパーに向かって順に、シャンクの踵対応部に踵対応部の厚さ方向に穿設したアウトソール方向に拡開した断面が台形の溝、シャンクの踵対応部に踵対応部の厚さ方向に穿設され、前記溝と連通したシャンク貫通孔、ミッドソールの爪先対応部から踵対応部に向けて形成した通気溝、ミッドソールの爪先対応部の厚さ方向に向けて穿設し前記通気溝と連通するミッドソ−ル貫通孔、中底に穿設した中底貫通孔、及びインソールに穿設したインソール貫通孔がそれぞれ連通し、靴内部の空気と湿気を流動させ、靴外部へ排気する靴内エアーコンディショニング効果を奏功することができる。【００２３】  本発明のシャンクは、ポリ塩化ビニル、ＡＢＳ樹脂、酢酸ビニル樹脂等の熱可塑性樹脂、或いはウレタン系熱可塑性エラストマー等の熱可塑性エラストマーで製造することができる。シャンクの硬度は、８０〜９０の範囲が好ましい。【００２４】  シャンク以外の部材、すなわち、アウトソール、ミッドソール、中底、インソール、アッパー、透湿シート等は、特段に限定されず、当業界で使用さている材料を使用することができる。【００２５】  従って、上記課題は下記の各項に記載した手段により解決することができる。
１．踵対応部から爪先対応部にまで一体に成形された樹脂プレートから成り、踵対応部がクッション機能構造を有し、踵対応部の前端部から爪先対応部までがシャンク機能を有し、アウトソールとミッドソールの間に挿入されるクッション機能付きシャンクであって；イ。前記シャンクを、踵対応部の前端部から爪先対応部へ向かって、距骨、舟状骨、内側楔状骨を越えて第１中足骨に伸長する内側アーチ対応部分と、踵骨結節から立方骨を通り第５中足骨に伸長する外側アーチ対応部分とに分岐させ、第１中足骨から第５中足骨にかけて伸長する前アーチ対応部を盛り高構造部分にしたこと、
ロ。前記シャンクの踵対応部に、踵対応部の厚さ方向に、少なくとも１個のシャンク貫通孔を設けたこと、
ハ。前記シャンクの踵対応部において前記シャンク貫通孔の底部に、踵対応部の幅方向に渡って、アウトソール方向に拡開した断面が台形の少なくとも１個の溝を穿設したこと、及び
ニ。前記シャンク貫通孔と前記溝を連通させたことを特徴とするクッション機能付きシャンク。【００２６】２．前記１項において、クッション機能付きシャンクの硬度を８０〜９０とする。【００２７】３．主要部材として、アウトソ−ル、ミッドソール、中底、インソール、およびアッパーを含む靴であって、前記１または２項に記載したクッション機能付きシャンクをアウトソールとミッドソールの間に挿入した靴。【００２８】４．前記３項記載の靴において、クッション機能付きシャンクを、前記シャンクの踵対応部とミッドソールの踵対応部の裏面との間に、空気、湿気を通し、水は通さない透湿シートを介して、アウトソールとミッドソールの間に挿入する。【００２９】５．前記３又は４項記載の靴において、ミッドソールの上面の爪先対応部に、馬蹄形通気溝を形成し、爪先対応部の幅方向に幅方向通気溝を、前記馬蹄形通気溝と連通するように形成し、さらに、ミッドソールの爪先対応部から踵対応部に向けて長手方向通気溝を形成し、長手方向通気溝に、踵対応部分で厚さ方向にミッドソール貫通孔を穿設し、前記馬蹄形通気溝、前記幅方向通気溝、前記長手方向通気溝及び前記ミッドソール貫通孔と連通させ、前記ミッドソール貫通孔を、前記シャンク貫通孔、及び前記断面が台形の溝とそれぞれ連通させる。【００３０】６．前記３〜５項のいずれか１項において、中底の厚さ方向に１個以上の中底貫通孔を穿設し、インソールの厚さ方向に１個以上のインソール貫通孔を穿設する。
【発明の効果】
【００３１】  請求項１に記載した発明によれば、踵対応部から爪先対応部にまで一体に成形された樹脂プレートから成り、踵対応部がクッション機能構造を有し、踵対応部の前端部から爪先対応部までがシャンク機能を有し、アウトソ−ルとミッドソールの間に挿入されるクッション機能付きシャンクにおいて、；イ。前記シャンクを、踵対応部の前端部から爪先対応部へ向かって、距骨、舟状骨、内側楔状骨を越えて第１中足骨に伸長する内側アーチ対応部分と、踵骨結節から立方骨を通り第５中足骨に伸長する外側アーチ対応部分とに分岐させ、第１中足骨から第５中足骨にかけて伸長する前アーチ対応部を盛り高構造部分にし、ロ。前記シャンクの踵対応部に、踵対応部の厚さ方向に、少なくとも１個のシャンク貫通孔を設け、ハ。前記シャンクの踵対応部において前記シャンク貫通孔の底部に、踵対応部の幅方向に渡って、アウトソール方向に拡開した断面が台形の少なくとも１個の溝を穿設し、及びニ。前記シャンク貫通孔と前記溝を連通させて、シャンクをアーチの解剖学的構造に対応させ、内側アーチと、外側アーチと、前アーチを、それぞれ支え、補強し、且つ、踵部対応部にクッション機能を持たせたので、運動時に踵が接地するときに踵に負荷される体重より大きな荷重を踵部で吸収することができ、また、前記溝が、体重を受けて、拡開部が開く角度が大きくなるので、クッション効果が向上し、且つ、歩行、走行等運動するたびに踵対応部のクッション作用により、靴内の空気が前記孔及び前記孔と連通している溝を通して上に流動するので、エアコンディショニング効果が奏功される。【００３２】  請求項２に記載した発明によれば、クッション機能付きシャンクの硬度を８０〜９０にしたので、適度のシャンク効果と耐久性を得ることができる。【００３３】  請求項３に記載した発明によれば、踵対応部から爪先対応部にまで一体に成形された樹脂プレートから成り、踵対応部がクッション機能構造を有し、踵対応部の前端部から爪先対応部までがシャンク機能を有し、アウトソ−ルとミッドソールの間に挿入されるクッション機能付きシャンクにおいて、イ。前記シャンク（１）を、踵対応部の前端部から爪先対応部へ向かって、距骨、舟状骨、内側楔状骨を越えて第１中足骨に伸長する内側アーチ対応部分と、踵骨結節から立方骨を通り第５中足骨に伸長する外側アーチ対応部分とに分岐させ、第１中足骨から第５中足骨にかけて伸長する前アーチ対応部を盛り高構造部分にし、且つ、ロ。前記シャンクの踵対応部に、踵対応部の厚さ方向に、少なくとも１個のシャンク貫通孔を設け、
ハ。前記シャンクの踵対応部において前記シャンク貫通孔の底部に、踵対応部の幅方向に渡って、アウトソール方向に拡開した断面が台形の少なくとも１個の溝を穿設し、及びニ。前記シャンク貫通孔と前記溝を連通させて、シャンクをアーチの解剖学的構造に対応させ、内側アーチと、外側アーチと、前アーチを、それぞれ支え、補強し、且つ、踵部対応部にクッション機能を持たせたので、運動時に踵が接地するときに踵に負荷される体重より大きな荷重を踵部で吸収することができ、また、前記溝が、体重を受けて、拡開部が開く角度が大きくなるので、クッション効果が向上し、且つ、歩行、走行等運動するたびに踵対応部のクッション作用により、靴内の空気が前記孔及び前記孔と連通している溝を通して上に流動するので、エアコンディショニング効果が奏功される。【００３４】  請求項４に記載した発明によれば、クッション機能付きシャンクを、シャンクの踵対応部とミッドソールの踵対応部の裏面との間に、空気、湿気を通し、水は通さない透湿シートを介して、アウトソールとミッドソールの間に挿入するので、雨中で歩行していたり、或いは歩行中水たまりに入ったとしても、水がミッドソールへ浸水するのを防止し、一方、歩行中、靴内に発生する汗が主体の湿気および暖かくなった空気は、ミッドソールへ向けて透過させる。【００３５】  請求項５に記載した発明によれば、ミッドソールの上面の爪先対応部に、馬蹄形通気溝を形成し、爪先対応部の幅方向に幅方向通気溝を、前記馬蹄形通気溝と連通するように形成し、さらに、ミッドソールの爪先対応部から踵対応部に向けて長手方向通気溝を形成し、長手方向通気溝に、踵対応部分で厚さ方向にミッドソール貫通孔を穿設し、前記馬蹄形通気溝、前記幅方向通気溝、前記長手方向通気溝及び前記ミッドソール貫通孔と連通させ、前記ミッドソール貫通孔を、前記シャンク貫通孔、及び前記断面が台形の溝とそれぞれ連通させたので、歩行時に、シャンクの踵対応部の厚さ方向に設けた溝から透過してくる空気、汗が、前記透湿シートを介して、ミッドソールの爪先対応部の厚さ方向に向けて穿設したミッドソール貫通孔からさらに上方へ透過させることができる。【００３６】  請求項６に記載した発明によれば、中底の厚さ方向に１個以上の中底貫通孔を穿設し、インソールの厚さ方向に１個以上のインソール貫通孔を穿設したので、アウトソールからアッパーに向かって順に、シャンクの踵対応部に踵対応部の厚さ方向に穿設したアウトソール方向に拡開した断面が台形の溝、シャンクの踵対応部に踵対応部の厚さ方向に穿設され前記溝と連通したシャンク貫通孔、ミッドソールの爪先対応部から踵対応部に向けて形成した通気溝、ミッドソールの爪先対応部の厚さ方向に向けて穿設し前記通気溝と連通するミッドソ−ル貫通孔、中底に穿設した中底貫通孔、及びインソールに穿設したインソール貫通孔がそれぞれ連通し、靴内部の空気と湿気を流動させ、靴外部へ排気する靴内エアーコンディショニング効果を奏功することができる。
【発明を実施するための最良の形態】
【００３７】以下、発明を実施するための最良の形態を実施例として説明する。
【実施例】
【００３８】図１は、本発明の一実施例によるクッション機能付きシャンクの構造を示す説明図である。図１−Ａ、図１−Ｂ、および図１−Ｃは、それぞれ、側面図、上面図、および断面図である。【００３９】  ポリ塩化ビニル樹脂で、平均厚さ３ｍｍ、硬度８５のクッション機能付きシャンクを製造した。図１−Ａの側面図に示したように、本発明のクッション機能付きシャンク１は、シャンク機能部分２とクッション機能部分３が一体に成形されたものである。クッション機能部分３は、丁度踵に対応している大きさである。前アーチ２２（横断アーチ）（図３）に沿って盛り高構造５になっている。クッション機能部分３の底面には、クッション機能部分３の厚さ方向に３個のシャンク貫通孔２３が穿設されている。さらに、図１−Ａ、および図１−Ｃに示したように、シャンク１の踵対応部に、踵対応部の厚さ方向に、アウトソール方向に拡開した断面が台形の溝４が少なくとも１個穿設されている。このように、溝４を、下方に向けて拡開した台形にしたので、体重を受けて、溝４の拡開部が開く角度が大きくなるので、クッション効果が向上するようになっている。また、図１−Ａ及び図１−Ｃに示したように、前記シャンク貫通孔２３と前記溝４は連通させた構造になっている。【００４０】  図１−Ｂは、実施例のクッション機能付きシャンク１の上面図である。図１−Ｂに示したように、シャンク部分は、踵対応部の前端部から、爪先対応部へ向かって、距骨、舟状骨、内側楔状骨を越えて第１中足骨に伸長する内側アーチ対応部６と、踵骨結節から立方骨を通り第５中足骨に伸長する外側アーチ対応部７の２個の部分に分岐させてある。このように、シャンク部分を２つに分岐させた構造により、それぞれの部分が、独立して、内側アーチと外側アーチを、それぞれ支え、補強するようになっている。【００４１】  図１−Ｃは、実施例のクッション機能付きシャンク１を、実際の靴のアウトソール８とミッドソール９の間に挿入した状態を示す部分断面図である。ミッドソール９の踵対応部には、その厚さ方向に３個のミッドソ−ル貫通孔１１が穿設されている。１０は、空気と湿気は透過させるが、水は透過させない透湿シートである。クッション機能部分３の厚さ方向に形成された３個のシャンク貫通孔２３及びシャンク貫通孔２３と連通している前記溝４は、透湿シート１０を介して、ミッドソール９の踵対応部に穿設された３個のミッドソール貫通孔１１と連通するようになっている。【００４２】  図２は、クッション機能付きシャンク１を靴のアウトソール８とミッドソール９の間に挿入した状態を分解した分解組立て図である。図２−Ｃに示したように、ミッドソール９の上面には、爪先対応部に、馬蹄形の馬蹄形通気溝１２が形成されている。さらに、爪先対応部の幅方向に３本の幅方向通気溝１３が、馬蹄形通気溝１２と連通するように形成されている。さらに、ミッドソール９の爪先対応部から踵対応部に向けて１本の長手方向通気溝１４が形成されている。長手方向通気溝１４には、踵対応部分で、厚さ方向に３個のミッドソール貫通孔１１が穿設されている。従って、ミッドソール９の上面に形成された馬蹄形通気溝１２と幅方向通気溝１３は、長手方向通気溝１４と連通していて、���らに、ミッドソール９の踵対応部に穿設された３個のミッドソール貫通孔１１と連通し、さらに透湿シート１０を介して、シャンク１のクッション機能部分に穿設された３個のシャンク貫通孔２３、及びシャンク貫通孔２３と溝４とが連通している構造になっている。【００４３】  図２−Ｂは、中底１５の斜視図である。図２−Ａは、アッパー１７の一部破断図である。図２−Ｂに示したように、中底１５には２個の中底貫通孔１６が穿設されている。図２−Ａに示したように、インソール１８には数個のインソール貫通孔１９が穿設されている。【００４４】  従って、本発明のクッション機能付きシャンク１を、透湿シート１０を介して、アウトソール８とミッドソール９の間に挿入し、順次、中底１５、アッパー１７と組み立て製靴し、インソール１８を靴内に入れて履用すると、シャンク１のクッション機能部分に穿設された３個のシャンク貫通孔２３、及びシャンク貫通孔２３と連通した構造になっている溝４が、透湿シート１０を介して、ミッドソール９の踵対応部に穿設された３個の、ミッドソール貫通孔１１と連通し、さらに、ミッドソール９の上面に形成された馬蹄形通気溝１２と幅方向通気溝１３と通気溝１４が連通し、さらに、中底１５に穿設された２個の中底貫通孔１６、およびインソール１８に穿設された数個のインソール貫通孔１９と連通して、靴内にエアーコンディショニングシステムが形成され、歩行、走行時に靴内に発生する暖かい空気や湿気を環流させ、靴外に排気する。
【産業上の利用可能性】
【００４５】  本発明のクッション機能付きシャンクは、クッション機能付きシャンクとなる樹脂プレートを、踵対応部の前端部から、爪先対応部へ向かって、距骨、舟状骨、内側楔状骨を越えて第１中足骨に伸長する内側アーチ対応部６と、踵骨結節から立方骨を通り第５中足骨に伸長する外側アーチ対応部７とに分岐させ、第１中足骨から第５中足骨にかけて伸長する前アーチ対応部２を盛り高構造にし、且つ、シャンクの踵対応部に、踵対応部の厚さ方向に、少なくとも１個のシャンク貫通孔２３を設け、前記シャンク１の踵対応部において前記シャンク貫通孔２３の底部に、踵対応部の幅方向に渡って、アウトソール方向に拡開した断面が台形の溝４を少なくとも１個穿設し、前記シャンク貫通孔２３と前記溝を連通させた構造にし、シャンク１をアーチの解剖学的構造に対応させたので、内側アーチ２０と、外側アーチ２１と、前アーチ２２を、それぞれ支え、補強し、且つ、踵部対応部にクッション機能を持たせたので、運動時に踵が接地するときに踵に負荷される体重より大きな荷重を踵部で吸収することができる。【００４６】  また、本発明のクッション機能付きシャンク１を、透湿シート１０を介して、アウトソール８とミッドソール９の間に挿入し、順次、中底１５、アッパー１７と組み立て製靴し、インソール１８を靴内に入れて履用すると、シャンク１のクッション機能部分に穿設された３個のシャンク貫通孔２３及びシャンク貫通孔２３と連通した構造になっている溝４が、透湿シート１０を介して、ミッドソール９の踵対応部に穿設された３個のミッドソール貫通孔１１と連通し、さらに、ミッドソール９の上面に形成された馬蹄形通気溝１２と幅方向通気溝１３と通気溝１４が連通し、さらに、中底１５に穿設された２個の中底貫通孔１６、およびインソール１８に穿設された数個のインソール貫通孔１９と連通して、靴内にエアーコンディショニングシステムが形成され、歩行、走行時に靴内に発生する暖かい空気や湿気を環流させ、靴外に排気する。【００４７】  従って、本発明のクッション機能付きシャンクは、男性用革靴、女性革靴、各種スポーツシューズ、ジョギングシューズ、ワーキングシューズ等制限されることなく、多種多様な靴へ適用することができ、製靴産業へ資することができる。
【図面の簡単な説明】
【００４８】
【図１】本発明の実施例によるクッション機能付きシャンクの構造を示す説明図である。
【図１−Ａ】実施例の側面図である。
【図１−Ｂ】実施例の上面図である。
【図１−Ｃ】実施例の断面図である。
【図２】実施例のクッション機能付きシャンクを靴に挿入した状態を分解した分解組立図である。
【図２−Ａ】アッパーの一部破断図である。
【図２−Ｂ】中底の斜視図アッパーの一部破断図である。
【図２−Ｃ】ミッドソールの斜視図である。
【図２−Ｄ】透湿シートの斜視図である。
【図２−Ｅ】シャンクの斜視図である。
【図２−Ｆ】アウトソールの斜視図である。
【図３】アーチ構造を示す概念図である。
【図３−Ａ】アーチ構造の概念を示す側面図である。
【図３−Ｂ】アーチ構造を示す概念図である。
【図３−Ｃ】アーチ構造の上面から見た概念図である。
【符号の説明】
【００４９】１    クッション機能付きシャンク
２    シャンク機能部分
３    クッション機能部分
４    溝
５    盛り高構造部分
６    内側アーチ対応部分
７    外側アーチ対応部分
８    アウトソール
９    ミッドソール
１０  透湿シート
１１  ミッドソール貫通孔
１２  馬蹄形通気溝
１３  幅方向通気溝
１４  長手方向通気溝
１５  中底
１６  中底貫通孔
１７  アッパー
１８  インソール
１９  インソール貫通孔
２０  内側アーチ
２１  外側アーチ
２２  前アーチ
２３  シャンク貫通孔
【図１】
0005007873.tif 000002
【図２】
0005007873.tif 000003
【図３】
0005007873.tif 000004